(57)【要約】【課題】スルー画表示の際には、像ブレの発生し難い撮影を可能とするデジタルカメラを提供する。【解決手段】撮像素子２２１、２７９と、この撮像素子を連続して駆動し、撮像した画像をスルー画として動画表示する液晶モニタ２６と、このスルー画表示モードのオン・オフを選択する表示切換釦３４と、被写界の輝度を検出し被写界輝度信号を出力する測光センサ２８１と、被写界輝度信号に基づいて、所定のプログラム線図を用いて撮影時の露出値を決定するメインＣＰＵ２２１と、露出値に基づいて露出を行なうシャッタ２１３および絞り１０３を備え、露出値決定用に複数のプログラム線図を有しており、スルー画モードのオン・オフの条件に基づいて複数のプログラム線図から選択して露出値を求める。【選択図】  図３
2008193622.tif 000002
【特許請求の範囲】
【請求項１】
撮像素子と、
この撮像素子を連続して駆動し、撮像した画像を動画像として表示部に表示するスルー画表示手段と、
このスルー画表示手段によるスルー画表示モードのオン・オフを選択するスルー画モード選択手段と、
被写界の輝度を検出し被写界輝度信号を出力する測光手段と、
上記被写界輝度信号に基づいて、所定のプログラム線図を用いて撮影時の露出値を決定する露出演算手段と、
上記露出値に基づいて露出を行なう露出手段と、
を備え、上記露出演算手段は複数のプログラム線図を有しており、上記スルー画モードのオン・オフの条件に基づいて上記複数のプログラム線図から選択して上記露出値を求めることを特徴とするデジタルカメラ。
【請求項２】
上記露出演算手段は、上記スルー画モードがオフの場合には、通常プログラム線図を選択し、上記スルー画モードオンの場合には、手振れ軽減用プログラム線図を選択することを特徴とする請求項１に記載のデジタルカメラ。
【請求項３】
被写界を観察するためのファインダと、
このファインダからの迷光の入射を防止する迷光防止手段と、
を具備し、
上記露出演算手段は、上記迷光防止手段による迷光防止が機能していない場合には、上記通常プログラム線図を選択し、上記迷光防止が機能している場合には、上記手振れ軽減用プログラム線図を選択することを特徴とする請求項２に記載のデジタルカメラ。
【請求項４】
上記迷光防止手段は、アイピースシャッタであることを特徴とする請求項３に記載のデジタルカメラ。
【請求項５】
上記迷光防止手段は、上記ファインダの接眼部に嵌合するアイキャップである請求項３に記載のデジタルカメラ。
【請求項６】
ファインダ接眼部を覗いていることを検出する接眼検出手段を備え、上記露出演算手段は、上記接眼検出手段により撮影者が上記ファインダを覗いていると判断した場合には、上記通常プログラム線図を選択し、一方撮影者が上記ファインダを覗いていないと判断した場合には、上記手振れ軽減用プログラム線図を選択することを特徴とする請求項２に記載のデジタルカメラ。
【請求項７】
上記表示部の表示面を表にして本体に格納されている状態と、表示面を裏にして本体に格納されていることを検出する格納状態検出手段とを備え、上記露出演算手段は、上記格納状態検出手段によって上記表示面を裏にして上記表示部が格納されていることを検出した場合には、上記通常プログラムを選択し、一方上記表示面を表にして上記表示部が格納されていることを検出した場合には、上記手振れ軽減プログラムを選択することを特徴とする請求項２に記載のデジタルカメラ。
【請求項８】
上記手振れ軽減プログラム線図は、上記通常プログラム線図の場合に比べてシャッタ速度が高速になるように設定されていることを特徴とする請求項２乃至請求項７に記載のデジタルカメラ。
【請求項９】
被写体像を撮像する撮像素子と、
この撮像素子の出力に基づいて上記被写体像を動画表示するスルー画表示手段と、
被写体の明るさを測定し、撮影時の露光量を演算する露光量演算手段と、
を具備し、
上記露光量演算手段は、上記スルー画表示手段によって上記被写体像の表示を行っているときは、手振れ軽減効果の高い手振れ軽減用プログラム線図に基づいて上記露光量を演算することを特徴とするデジタルカメラ。
【請求項１０】
撮影者が上記スルー画表示手段を観察状況にあるか否か判定する状況判定手段を有し、上記スルー画表示手段によるスルー画表示モードが選択されていても、上記状況判定手段によって観察状況にないと判定された場合には、上記露光量演算手段は上記手振れ軽減用プログラムに代えて、通常のプログラム線図に基づいて上記露光量を演算することを特徴とする請求項９に記載のデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタルカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるスルー画表示機能を有したものが多くなってきている。
【０００３】
このようなスルー画表示機能は、表示装置により大画面で表示でき、観察し易いことから、デジタル一眼レフカメラに搭載した例も種々提案されている。例えば、一眼レフファインダの光路内にミラーを配置し、光束の一部を撮像素子に導き、この撮像素子で撮像した被写体像を表示装置に観察用に表示するデジタル一眼レフカメラが提案されている（特許文献１）。また、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を観察用に液晶モニタに表示するようにしたデジタル一眼レフカメラが提案されている（特許文献２）。
【特許文献１】特開２０００−１７５１００号公報
【特許文献２】特開２００２−３６９０４２号公報
【発明の開示】
【発明が解決しようとする課題】
【０００４】
このようなデジタルカメラにおいてスルー画表示を行うと、撮影者の目は光学ファインダの接眼部から離れて、液晶モニタ等の表示装置を観察するために、カメラの構えがしっかりしなくなり、ブレ易くなってしまう。この像ブレのため撮影画像の画質が劣化してしまう虞がある。
【０００５】
本発明は、このような事情を鑑みてなされたものであり、スルー画表示の際には、像ブレの発生し難い撮影を可能とするデジタルカメラを提供することを目的とする。
【課題を解決するための手段】
【０００６】
上記目的を達成するため第１の発明に係わるデジタルカメラは、撮像素子と、この撮像素子を連続して駆動し、撮像した画像を動画像として表示部に表示するスルー画表示手段と、このスルー画表示手段によるスルー画表示モードのオン・オフを選択するスルー画モード選択手段と、被写界の輝度を検出し被写界輝度信号を出力する測光手段と、上記被写界輝度信号に基づいて、所定のプログラム線図を用いて撮影時の露出値を決定する露出演算手段と、上記露出値に基づいて露出を行なう露出手段とを備え、上記露出演算手段は複数のプログラム線図を有しており、上記スルー画モードのオン・オフの条件に基づいて上記複数のプログラム線図から選択して上記露出値を求める。
【０００７】
また、第２の発明に係わるデジタルカメラは、上記第１の発明において、上記露出演算手段は、上記スルー画モードがオフの場合には、通常プログラム線図を選択し、上記スルー画モードオンの場合には、手振れ軽減用プログラム線図を選択する。
さらに、第３の発明に係わるデジタルカメラは、上記第２の発明において、被写界を観察するためのファインダと、このファインダからの迷光の入射を防止する迷光防止手段と、を具備し、上記露出演算手段は、上記迷光防止手段による迷光防止が機能していない場合には、上記通常プログラム線図を選択し、上記迷光防止が機能している場合には、上記手振れ軽減用プログラム線図を選択する。
さらに、第４の発明に係わるデジタルカメラは、上記第３の発明において、上記迷光防止手段は、アイピースシャッタである。
さらに、第５の発明に係わるデジタルカメラは、上記第３の発明において、上記迷光防止手段は、上記ファインダの接眼部に嵌合するアイキャップである。
【０００８】
さらに、第６の発明に係わるデジタルカメラは、上記第２の発明において、ファインダ接眼部を覗いていることを検出する接眼検出手段を備え、上記露出演算手段は、上記接眼検出手段により撮影者が上記ファインダを覗いていると判断した場合には、上記通常プログラム線図を選択し、一方撮影者が上記ファインダを覗いていないと判断した場合には、上記手振れ軽減用プログラム線図を選択する。
さらに、第７の発明に係わるデジタルカメラは、上記第２の発明において、上記表示部の表示面を表にして本体に格納されている状態と、表示面を裏にして本体に格納されていることを検出する格納状態検出手段とを備え、上記露出演算手段は、上記格納状態検出手段によって上記表示面を裏にして上記表示部が格納されていることを検出した場合には、上記通常プログラムを選択し、一方上記表示面を表にして上記表示部が格納されていることを検出した場合には、上記手振れ軽減プログラムを選択する。
さらに、第８の発明に係わるデジタルカメラは、上記第２乃至第７の発明において、上記手振れ軽減プログラム線図は、上記通常プログラム線図の場合に比べてシャッタ速度が高速になるように設定されている。
【０００９】
上記目的を達成するため第９の発明に係わるデジタルカメラは、被写体像を撮像する撮像素子と、この撮像素子の出力に基づいて上記被写体像を動画表示するスルー画表示手段と、被写体の明るさを測定し、撮影時の露光量を演算する露光量演算手段とを具備し、上記露光量演算手段は、上記スルー画表示手段によって上記被写体像の表示を行っているときは、手振れ軽減効果の高い手振れ軽減用プログラム線図に基づいて上記露光量を演算する。
【００１０】
第１０の発明に係わるデジタルカメラは、上記第９の発明において、撮影者が上記スルー画表示手段を観察状況にあるか否か判定する状況判定手段を有し、上記スルー画表示手段によるスルー画表示モードが選択されていても、上記状況判定手段によって観察状況にないと判定された場合には、上記露光量演算手段は上記手振れ軽減用プログラムに代えて、通常のプログラム線図に基づいて上記露光量を演算する。
【発明の効果】
【００１１】
本発明のデジタルカメラにおいて、スルー画モードの条件に基づいて複数のプログラム線図から選択するようにしたので、スルー画表示の際には、像ブレの発生し難い撮影を可能とするデジタルカメラを提供することができる。
【発明を実施するための最良の形態】
【００１２】
以下、図面を参照してこの発明を適用した好ましい実施形態を説明する。図１は、本発明の第１実施形態に係わるデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１４】
モードダイヤル２２は回転可能に構成された操作部材であり、モードダイヤル上の図示しない撮影モードを表す記号や絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１５】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の２次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１６】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。これらの再生釦２７、メニュー釦２４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。
【００１７】
液晶モニタ２６は、カメラ本体２０の背面に固定されており、被写体像を観察用にスルー画として表示したり、撮影済みの被写体像を再生表示したり、カメラ情報やメニューを表示するための表示装置である。これらの表示を行うことができるものであれば、液晶に限らない。接眼部３３は、ファインダ光学系の接眼部であって、撮影者はこの接眼部３３を覗いて被写体像の確認を行うことができる。接眼部３３の脇には、アイピースシャッタつまみ３９（図２参照、図１では隠れている）が配置されている。このアイピースシャッタつまみ３９は、後述するアイピースシャッタ４１（図２参照）をファインダ光学系中の接眼部の光路中に挿入・離脱を行わせるための操作部材である。また、接眼部３３のアイキャップ内には、接眼検出手段として機能するアイセンサ３８が配置されている。このアイセンサ３８は、ファインダ３３の接眼部近傍で撮影者が光学ファインダ観察のために覗いているか否かを検出するためのセンサであり、赤外光を投射し、その反射光を受光する等により検出する。
【００１８】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１９】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３（図３参照）内の入出力回路２３９に接続されている。
【００２０】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。
【００２１】
接眼レンズ２０９の後方には、アイピースシャッタ４１と保護ガラス４２が配置されている。アイピースシャッタ４１は、このファインダ光学系中の接眼レンズ２０９の光路中に挿入・離脱可能であり、挿入することにより、迷光が測光センサ２８１に入射し、誤測光を防止することができる。アイピースシャッタ４１の光路中への挿脱動作は、アイピースシャッタ４１の側方に配置された操作部材３９によって行なう。保護ガラス４２は、アイピースシャッタ４１や接眼レンズ２０９が傷つけられることを防止するためのガラスである。アイピースシャッタつまみ３９の近傍にはアイピースシャッタスイッチ４０が配置されており、アイピースシャッタつまみ３９の操作状態を検出する。第４反射ミラーで反射された被写体光束は、アイピースシャッタ４１が開放状態の場合には、接眼レンズ２０９、保護ガラス４２、ファインダ３３（図１）を通して撮影者Ｅによって被写体像として観察される。
【００２２】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２３】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。図３には図示されていないが、この接眼レンズ２０９の後方には、前述したアイピースシャッタ４１と保護ガラス４２が配置されている。そして、接眼レンズ２０９等の近傍には、アイセンサ３８とアイピースシャッタスイッチ４０が配置されている。
【００２４】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して開く位置にある。この第１反射ミラー２０１はミラー駆動機構２１９によって駆動されている。また、サブミラー２０３の反射光路上に測距用センサを含む位相差方式の測距回路２１７が配置されており、この回路は、レンズ１０１ａ、１０１ｂによって結像される被写体像の焦点ズレ量を検出するための回路である。
【００２５】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。
【００２６】
ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２７】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２８】
データバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２９】
上述のアイセンサ３８、アイピースシャッタスイッチ４０、シャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００３０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、プレビュー釦３６、レンズ検出スイッチ〈不図示〉等を含む各種スイッチ２５５（図３では各種ＳＷと略記）は、スイッチ検出回路２５３を介してデータバス２６１に接続されている。
【００３１】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、ＩＳＯ感度、シャッタ速度、絞り値、補正値、画素数といった項目は、情報表示画面において十字キー３０を操作することによって項目を選択し、コントロールダイヤル２４の操作で数値を設定する。
【００３２】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、画面左下にＡモード表示であることを示すために「Ａ」が表示されている。また、このモードではスクリーンマット２０５上に刻印されたＡＦフレームも視認できる。
【００３３】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、第１の反射ミラー２０１が退避してしまうことから自動焦点検出は不作動となり、ピント合わせは手動で行う。液晶モニタ２６の画面左下にＢモード表示であることを示すために、「Ｂ」が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である。
【００３４】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３５】
ここで、Ａモード表示Ｍ２００とＢモード表示Ｍ３００に設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ〈不図示〉によって検出した場合には、Ｂモード表示Ｍ３００から情報表示Ｍ１００に切換わる。
【００３６】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３７】
次に、情報表示Ｍ１００の下部階層について説明する。情報表示Ｍ１００の状態で、プレビュー釦３６を押しオンとすると、プレビューＣが実行され（Ｍ１１０）、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、カードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面において、モードダイヤル２２、コントロールダイヤル２４や十字キー３０を操作して好みのモード・値に設定できる（Ｍ１４０）。
【００３８】
次にＡモード表示Ｍ２００の下部階層に移って、まず、Ａモード表示Ｍ２００でプレビュー釦３６を押しオンとすると、プレビューＡを実行する（Ｍ２１０）。プレビューＡは、設定された絞り値まで絞り１０３を絞り込んだ状態でメインＣＣＤ２２１からの画像信号に基づいて被写体像を液晶モニタ２６に表示するモードである。プレビュー釦３６から手を離し、オフとすることにより、プレビューモードを解除し、Ａモード表示Ｍ２００に戻る。
【００３９】
Ａモード表示において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、メニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００４０】
次に、Ｂモード表示Ｍ３００の下部階層に移って、まず、Ｂモード表示Ｍ３００でメニュー釦２８が押されオンになると、メニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラー２０１が退避状態にありシャッタ２１３が開放状態であるので、特に何も動作しないが、レリーズ釦２１が全押しされ２Ｒがオンとなると、メインＣＣＤ２２１からの画像信号に基づいて記録用画像データを記録媒体２４５に記録する撮影動作Ｂを実行する（Ｍ３２０）。また、プレビュー釦３６がオンとなると、絞り１０３の絞込み動作を行い、メインＣＣＤ２２１からの画像信号に基づいて液晶モニタ２６にスルー画表示を行うプレビューＢを実行する（Ｍ３３０）。このプレビューＢもプレビューＡと同様に、設定された絞り値まで絞り１０３を絞り込んだ状態でメインＣＣＤ２２１からの画像信号に基づいて被写体像を液晶モニタ２６に表示するモードである。
【００４１】
次に、図４に示した表示・動作モードの詳細について、図５乃至図８に示すフローチャートを用いて説明する。図５は図４に示すＡモード表示Ｍ２００のフローチャートである。前述したように表示切換釦３５がオンとなるとファインダ内ＣＣＤ２７９からの出力に基づいて被写体像を表示するＡモード表示の動作を行う。まず、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。スルー画表示モードが選択されている場合には、撮影者はデジタルカメラを離し、腕が伸びた状態で、液晶モニタ２６を観察することから、手振れの発生の可能性が高くなる虞がある。そこで、この状態では、手振れを軽減するプログラム線図に沿ったシャッタや絞り等の露出条件となる露光量演算を行う。詳しくは図８のフローチャートを用いて後述する。
【００４２】
次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図７を用いて後述する。スルー画表示条件の設定が終わると、Ａモード表示を開始する（Ｓ９）。なお、スルー画表示動作の制御は、この開始指示を受けて画像処理回路２２７にて行われる。
【００４３】
次に、ステップＳ１と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのＡモード表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００４４】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいて撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。
【００４５】
この状態でレリーズ釦２１から撮影者の手が離れると、ステップＳ２９をＮで抜け、再びステップＳ１１に戻る。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作が終了すると、ステップＳ１に戻り、前述のステップを繰り返す。
【００４６】
ステップＳ２１に戻り、１Ｒがオフの場合には、ステップＳ４１において、プレビュー釦３６がオンかどうかを判定する。オンの場合には、Ａモード表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移り、絞り１０３を設定値に絞り込んだ状態でメインＣＣＤ２２１の出力に基づいて液晶モニタ２６に被写体像をスルー画表示する。このプレビューＡが終了すると、ステップＳ１に戻り、前述のステップを繰り返す。
【００４７】
ステップＳ４１に戻り、プレビュー釦３６がオフであった場合には、ステップＳ４５に進み、表示切換釦３５が押されたかどうか、即ち、オンかどうかを判定する。オンであった場合には、図４で説明した情報表示Ｍ１００に戻る。オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、まず、ステップＳ４３と同様に、Ａモード表示の固定を行ってから、Ｂモード表示（Ｍ３００）に進む。
【００４８】
次に図６を用いてＢモード表示Ｍ３００のフローを説明する。Ｂモード表示に入ると、まず、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。なお、スルー画表示動作の制御は、この開始指示を受けて画像処理回路２２７にて行われる。次に、タイマーをスタートさせステップＳ８１に進む。
【００４９】
ステップＳ８１では、レリーズ釦２１が全押しされているか、即ち、２Ｒがオンかを判定し、オンの場合には、撮影動作に進む。まず、液晶モニタ２６に表示されているスルー画表示を止め、即ちＢモード表示を停止し（Ｓ８３）、フォーカルプレーンシャッタ２１３と第１反射ミラー２０１を初期状態に戻す（Ｓ８５、Ｓ８７）。この後、撮影動作Ｂ（Ｍ３２０）に移り、シャッタ２１３を開放し、メインＣＣＤ２２１による撮像動作を行った後、絞り１０３とシャッタ２１３を初期位置に戻す。この撮影動作Ｂが終了すると、ステップ６１に戻り、前述のステップを繰り返す。ステップＳ８１に戻り、２Ｒがオフの場合にはステップＳ９１に進み、プレビュー釦３６がオンか否かを判定する。オンだった場合にはプレビュー動作に入り、Ｂモード表示の固定を行う（Ｓ９３）。これはステップＳ４３のＡモード表示の固定と同様、絞込み時に画像の明るさが不自然に変化することを防止するためである。この後、プレビューＢ（Ｍ３３０）に進み、絞り１０３を設定値に絞り込んだ状態で、メインＣＣＤ２２１の出力に基づいて液晶モニタ２６に被写体像をスルー画表示する。
【００５０】
ステップＳ９１に戻り、プレビュー釦３６がオフだった場合には、ステップＳ１０１にて表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させ（Ｓ１０７）、メインＣＣＤ２２１の電源をオフする（Ｓ１０９）。これらの動作が終了すると、情報表示Ｍ１００に移る。
【００５１】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。
【００５２】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これはスルー画表示モードの切換時の画像の乱れを防止するためである。続くステップＳ１２５からＳ１２９は、前述のステップＳ１０５からＳ１０９と同様であるので、説明は省略する。
【００５３】
ステップＳ１２１に戻り、判定の結果、オフだった場合には、ステップＳ１３１に進み、カメラ本体２０からレンズ鏡筒１０が外されたか否かを、レンズ検出スイッチ〈不図示〉の出力に基づいて判定する。判定の結果Ｙｅｓだった場合、即ち、レンズ鏡筒１０が取り外された場合には、情報表示Ｍ１００を行う。Ｂモード表示では、第１反射ミラー２０１が撮影光路から退避し、フォーカルプレーンシャッタ２１３が開放状態となっている。このため、メインＣＣＤ２２１が外部に直接、露出した状態となってしまい、塵芥等が付着するおそれがある。したがって、Ｂモード表示Ｍ３００を終了することによって、メインＣＣＤ２２１の撮像面に塵芥等が付着することを防止する。Ｂモード表示を終了するために、ステップＳ１３３からＳ１３９にて処理を行うが、これらのステップは前述のステップＳ１０３からＳ１０９と同様であるので、説明は省略する。
【００５４】
ステップＳ１３１に戻り、判定の結果、Ｎｏだった場合には、レンズ鏡筒１０は装着されたままであり、ステップＳ１４１に進み、ステップＳ７５でスタートしたタイマーの値が、所定時間、経過したか否かを判定する。判定の結果、所定時間が経過していない場合には、ステップＳ１４３にて、スルー画条件の設定２のサブルーチンを実行した後、前述のステップＳ８１に進む。一方、所定時間が経過した場合には、Ｂモード表示を終了し、情報表示Ｍ１００を行うために、ステップＳ１３３に進む。このように、Ｂモード表示が所定時間経過すると終了するようにしているのは、Ｂモード表示を長時間連続すると、メインＣＣＤが発熱し、その出力画像にノイズが発生するおそれがあるためである。
【００５５】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３は、ここで設定・記憶されたＴＶ１とＳＶ１に基づいてＣＣＤ２２１の駆動制御を行い、光電変換信号の読み出しを行う。ステップＳ２０７にてＴＶ１およびＳＶ１の設定が終了すると元のフローに戻る。
【００５６】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００５７】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００５８】
次に、ステップＳ１、Ｓ１１、Ｓ２３、Ｓ６５において、実行される測光・露光量演算のサブルーチンについて、図８を用いて説明する。このサブルーチンに入ると、測光用センサ２８１の出力、すなわち被写体輝度ＢＶｓの読み込みを行う（Ｓ３０１）。次に、被写体輝度ＢＶｓとメニュー画面によって設定可能なＩＳＯ感度を用いて露光量ＥＶを、
ＥＶ＝ＢＶ＋ＳＶ
の演算式より求める（Ｓ３０３）。続いて、撮影レンズ１０からレンズＣＰＵ１１１を介して焦点距離の読み込みを行う（Ｓ３０５）。この場合、単焦点レンズであればそのレンズの固有焦点距離情報を読み込み、またズームレンズの場合には、現在設定されている焦点距離情報の読み込みを行う。
【００５９】
次に、ステップＳ３０５で読み込んだ焦点距離情報に基づいて、撮影レンズ１０が広角レンズであるか否かの判定を行う（Ｓ３０７）。これは予め決めた所定焦点距離も短焦点か否かで判定する。判定の結果、広角レンズではなかった場合には、ステップＳ３０９に進み、現在スルー画モード、すなわちＡモード表示またはＢモード表示が選択されているか否かの判定を行う。判定の結果、スルー画モードが選択されていなかった場合には、ステップＳ３１３に進み、長焦点距離用（ＴＥＬＥ用）の通常プログラム線図３２１（図９（Ａ）参照）を選択する。一方、スルー画モードが選択されていなかった場合には、ステップＳ３１５に進み、長焦点距離用の手振れ軽減プログラム線図３２３（図９（Ａ）参照）を選択する。
【００６０】
ステップＳ３０７に戻り、焦点距離情報の判定の結果、広角レンズであった場合には、ステップＳ３１９に進み、ステップＳ３０９と同様にスルー画モードであるかの判定を行う。スルー画モードが選択されてなかった場合には、ステップＳ３２３に進み、短焦点距離用（ＷＩＤＥ用）の通常プログラム線図３２５（図９（Ｂ）参照）を選択する。一方、スルー画モードが選択されていた場合には、ステップＳ３２５に進み、短焦点距離用の手振れ軽減プログラム線図３２７（図９（Ｂ）参照）を選択する。ステップＳ３１３、Ｓ３１５、Ｓ３２３、Ｓ３２５において、それぞれプログラム線図が選択されると、ステップＳ３１７において、選択されたプログラム線図に沿った絞り値（ＡＶ）およびシャッタ速度値（ＴＶ）を演算またはテーブル参照により求め設定する（Ｓ３１７）。このようにして決められた露光条件に従って撮影動作Ａ、撮影動作Ｂまたは撮影動作Ｃのサブルーチンにおいて露光制御される。
【００６１】
ここで選択されたプログラム線図について図９を用いて説明する。図９で説明する撮影レンズ１０は３０ｍｍ−１３０ｍｍのズームレンズであって、図９（Ａ）は長焦点距離側に設定されている場合である。この場合、ステップＳ３０９をＮで抜け、スルー画モードが設定されていなかった場合には長焦点距離用通常プログラム線図３２１が選択される。一方、スルー画モードが設定されている場合には、長焦点距離用手振れ軽減プログラム線図３２３が選択される。図９（Ａ）から分かるように、手振れ軽減プログラム線図３２３の方が同じＥＶ値に対してシャッタ速度が高速側にシフトしている。例えば、ＥＶ１７であった場合、通常プログラム線図３２１ではシャッタ速度は１／１０００（秒）であるのに対して、手振れ軽減プログラム線図３２３ではシャッタ速度は１／２０００（秒）と、高速側にシフトしている。
【００６２】
また、図９（Ｂ）は短焦点距離側に設定されている場合である。この場合、ステップＳ３１９をＮで抜け、スルー画モードが設定されていなかった場合には短焦点距離用通常プログラム線図３２５が選択され、一方、スルー画モードが設定されている場合には、短焦点距離用手振れ軽減プログラム線図３２７が選択される。図９（Ｂ）から分かるように、手振れ軽減プログラム線図３２７の方が同じＥＶ値に対して高速側にシフトしている。例えば、ＥＶ１６であった場合、通常プログラム線図３２５ではシャッタ速度は１／５００（秒）であるのに対して、手振れ軽減プログラム線図３２７ではシャッタ速度は１／１０００（秒）と、高速側にシフトしている。なお、同じＥＶ値に対して、長焦点である図９（Ａ）の方が、プログラム線図が高速側にシフトしているのは、撮影レンズ１０が長焦点距離であるほど手振れの影響が大きくブレが大きくなるため、高速側にシフトして影響を小さくしているためである。
【００６３】
なお、本実施形態においては、ステップＳ３０７において、広角レンズか否かの判定を行っているが、所謂、標準レンズを広角側に入れるか否かは、図９に示すプログラム線図に応じて適宜、決定することができる。また、広角か否かの２つに分けるだけではなく、２以上の判定用の焦点距離を決め、３通りに分けるようにしても勿論構わない。また、本実施形態においては、この図８に示す測光・露光量演算のサブルーチンは、情報表示Ｍ１００においても使用するので、ステップＳ３０９およびＳ３１９において、スルー画モードか否かの判定を行なっている。しかし、Ａモード表示およびＢモード表示が選択された場合にのみ使用するサブルーチンの場合には、これらのステップを省略することができる。
【００６４】
次に、本発明の第１実施形態のプログラム線図の変形例について図９（Ｃ）を用いて説明する。本実施形態では、シャッタ速度と絞り値のプログラム曲線を変更する例であったが、変形例はシャッタ速度とＩＳＯ感度を変更する例である。この変形例では、本実施形態と同様に３０ｍｍ−１３０ｍｍのズームレンズで長焦点側に設定された例である。スルー画モードが選択されている場合には、手振れ軽減線図３３１が選択され、スルー画モードではない場合には、通常線図３２９が選択される。なお、短焦点側に設定されている場合については図示されていないが、低速側にシフトした線図となる他は図９（Ｃ）と類似である。
【００６５】
通常線図３２９が選択された場合には、演算された露出量（ＥＶ）に対して、シャッタ速度が変化するだけである。それに対して、手振れ軽減線図３３１が選択された場合には、露出量（ＥＶ）が２より小さくなると、ＩＳＯ感度を高感度側にシフトして適正露光が得られる。このようにして決められた露光条件に従って撮影動作Ａ、撮影動作Ｂまたは撮影動作Ｃにおいて露光制御される。なお、図９（Ｃ）に示される例は絞り優先モードが選択された例であるが、シャッタ優先モードが選択された場合であっても、手振れ限界シャッタ速度より低速側のＥＶ値となった場合には、ＩＳＯ感度を変更するようにしても勿論構わない。また、長焦点側を変形例のようにＩＳＯ感度シフト、短焦点側を一実施形態のようにシャッタ速度を高速側にシフトするように組み合わせても良い。
【００６６】
次に、この第１実施形態の測光・露光量演算のサブルーチンの変形例について、図１０を用いて説明する。第１実施形態においては、スルー画モード、すなわちＡモード表示またはＢモード表示が設定されている場合には、自動的に手振れ軽減用プログラム線図（以下、「Ｐ線図」と称す）によって露光量演算を行なっていたが、この変形例においては、スルー画モードが設定されている場合であっても、アイピースシャッタ４１が閉じているか、またはアイセンサ３８によって撮影者がファインダ３３を覗いていることを検出した場合に、手振れ軽減用Ｐ線図によって露光量を演算するようにしている。
【００６７】
この変形例は、図８に示すフローチャートにおいて、ステップＳ３０９〜Ｓ３１１とＳ３１９〜Ｓ３２１が相違する他は同様であるので、相違点を中心に説明する。測光・露光量演算のサブルーチンに入り、ステップＳ３０９に進み、スルー画モードが設定されているか否かについて判定する。判定の結果、スルー画モードが設定されていた場合には、アイピースシャッタ４１の状態をアイピースシャッタスイッチ４０の出力に基づいて判定する。判定の結果、アイピースシャッタ４１が開いていた場合には、ステップＳ３１１に進み、アイセンサ３８の出力を検出する。
【００６８】
ステップＳ３０９においてスルー画モードが設定されている場合には、アイピースシャッタ４１が閉じているか、または撮影者がファインダ３３を覗いていない場合には、ステップＳ３１５に進み、ＴＥＬＥ用手振れ軽減Ｐ線図を選択する。一方、ステップＳ３０９においてスルー画モードが設定されていなかった場合、またはアイピースシャッタ４１が開放され、かつ撮影者がファインダ３３を覗いている場合には、ステップＳ３１３に進み、ＴＥＬＥ用通常Ｐ線図を選択する。
【００６９】
ステップＳ３０７において、広角レンズであると判定された場合も、ステップＳ３０９〜Ｓ３１１と同様の判定を行い、スルー画モードが設定されていた場合には、アイピースシャッタ４１が閉じているか、または撮影者がファインダ３３を覗いていない場合には、ステップＳ３２５に進み、ＴＥＬＥ用手振れ軽減Ｐ線図を選択する。一方、ステップＳ３１９においてスルー画モードが設定されていなかった場合、またはアイピースシャッタ４１が開放され撮影者がファインダ３３を覗いている場合には、ステップＳ３２３に進み、ＴＥＬＥ用通常Ｐ線図を選択する。
【００７０】
このように、本変形例においては、スルー画モードであっても、アイピースシャッタ４１の状態やアイセンサ３８の出力に応じて、手振れ軽減Ｐ線図を選択するか否か変更している。これは、本実施形態においては、Ａモードが選択されている場合には、光学ファインダで被写体像を観察することも可能であるためである。
【００７１】
以上、説明したように本発明の第１実施形態およびその変形例では、スルー画モードを選択した場合には（Ｓ３０９、Ｓ３１９）、露光条件を手振れが軽減するように線図を変えている（Ｓ３１５、Ｓ３２５）。すなわち本実施形態ではシャッタ速度を高速側にシフトさせ、また変形例ではＩＳＯ感度を高感度側にシフトさせて適正露光が得られると共に手振れを軽減している。また、手振れを軽減する線図を選択するにあたって、撮影レンズの焦点距離に応じて変化させているので、焦点距離に応じた適切な線図となる。
【００７２】
次に、本発明の第２実施形態について図１１乃至図１４を用いて説明する。第１実施形態では、液晶モニタ２６はカメラ本体２０の背面に固定されていたが、第２実施形態においては、液晶モニタ２６は背面より引き出させる構成となっており、さらに、液晶モニタ２６の表示面を撮影者側に向けることも逆に反対側に向けることもいずれも選択できるようになっている。液晶モニタ２６の引き出し状態と表示面の向きに応じて、手振れ軽減Ｐ線図の選択の可否を決めている。
【００７３】
この第２実施形態は、第１実施形態とは共通する部分が多いので、相違点を中心に説明する。図１１に第２実施形態に係わるデジタル一眼レフカメラの外観斜視図を示す。可動モニタ格納検出センサ４３、格納状態検出センサとして機能する可動モニタ裏表検出センサ４４、磁石４５ａ、４５ｂ、回動軸４６が設けられている他は、図１に示した第１実施形態に係わるデジタル一眼レフカメラと同様であるので、同一部材には同一符号を付して説明を省略する。
【００７４】
液晶モニタ２６を軸支する回動軸４６は、（ａ）（ｂ）方向への回動と、（ｃ）回りの回動が可能な回動軸を２つ持っている。このため、液晶モニタ２６は、カメラ本体２０よりａ方向に回動させることにより引き出すことが可能であり、さらに引き出した状態で液晶モニタ２６をｃ軸回りに回動させ、液晶モニタ２６の表示面を撮影者側に向けることも可能となっている。液晶モニタ２６内であって回動軸４６と反対側の位置には磁石４５ｂが配置されている。そして、液晶モニタ２６がカメラ本体２０よりａ方向に回動し引き出されたか、ｂ方向に回動し格納されたかについて、検出するためのホール素子等の磁力検出素子からなる可動モニタ格納検出センサ４３が、液晶モニタ２６の近傍に配置されている。さらに、液晶モニタ２６をカメラ本体２０に格納する際に、表示面をカメラ本体２０側とし、外部から表示面を隠すように格納することも可能である。
【００７５】
カメラ本体２０内であって回動軸４６近傍には磁石４５ａが配置されている。そして、液晶モニタ２６が回動軸４６のｃ軸回りを回動し、液晶モニタ２６の表示面が表を向いているか裏面を向いているかについて検出するためのホール素子等の磁力検出素子からなる可動モニタ裏表検出センサ４３が、液晶モニタ２６内に設けられている。
【００７６】
本発明の第２実施形態に係わるデジタル一眼レフカメラの電気回路を図１２に示す。可動モニタ格納検出センサ４３と可動モニタ裏表検出センサ４４がスイッチ検出回路２５３に接続されている以外は、図３に示す第１実施形態と同様であるので、同一部材に同一符号を付し、詳しい説明を書略する。
【００７７】
次に、第２実施形態の動作について説明する。図８に示した測光・露光量演算のサブルーチン以外は、第１実施形態と同様であるので、説明を省略し、第２実施形態における測光・露光量演算のサブルーチンについて、図１３を用いて説明する。このサブルーチンに入ると、ステップＳ３０１と同様に被写体輝度ＢＶｓの読み込みを行う（Ｓ４０１）。続いて、ステップＳ３０３と同様に露光量（ＥＶ）の演算を行なう（Ｓ４０３）。この後、撮影レンズ１０焦点距離の読み込みを行う（Ｓ４０５）。
【００７８】
ステップＳ４０５の焦点距離の読み込みが終わると、次に、スルー画モードが設定されているかを判定する（Ｓ４０９）。判定の結果、スルー画モードが設定されている場合には、アイピースシャッタ４１が開放されているか閉鎖されているかの判定を行う（Ｓ４１１）。判定の結果、アイピースシャッタ４１が開放されている場合には、次に、アイセンサ３８によって撮影者がファインダ３３を覗いているか否かの判定を行う（Ｓ４１３）。判定の結果、撮影者が覗いている場合、すなわち、オンであった場合には、露出量の演算にあたって、通常Ｐ線図を選択する（Ｓ４２１）。この場合は、スルー画モードが選択されているものの、アイピースシャッタ４１が開いており、撮影者がファインダ３３を覗いていることから、通常のＰ線図を選択している。
【００７９】
ステップＳ４１３において、アイセンサ３８がオフであった場合には、液晶モニタ２６（図１３においては、液晶モニタ２６をＴＦＴと表記する）が引き出されているかを、可動モニタ格納検出センサ４３の検出出力に基づいて判定する。判定の結果、引き出されていた場合には、ステップＳ４２３に進み、手振れ軽減Ｐ線図を選択する。これは、撮影者はファインダ３３を覗いておらず、液晶モニタ２６が引き出されていることから、液晶モニタ２６に表示されるスルー画を観察していると判断され、手振れ軽減処理を行なっている。
【００８０】
ステップＳ４１５において。液晶モニタ２６が引き出されていないと判定された場合には、次に、液晶モニタ２６の表示面が表を向いているか、裏を向いているかの判定を行う（Ｓ４１７）。判定の結果、表を向いていた場合には、ステップＳ４２３に進み、手振れ軽減Ｐ線図を選択する。これは、撮影者はファインダ３３を覗いておらず、液晶モニタ２６の表示面が表を向いていることから、液晶モニタ２６に表示されるスルー画を観察していると判断され、手振れ軽減処理を行なっている。
【００８１】
ステップＳ４１７において、液晶モニタ２６の表示面が裏を向いていると判定された場合、または、ステップＳ４０９においてスルー画モードが選択されていなかった場合には、ステップＳ４１９に進み、通常Ｐ線図を選択して、露光量の演算を行なう。これは、スルー画が選択されていないか、または選択されていても、スルー画を観察できない状態であることから、通常Ｐ線図としている。
【００８２】
ステップＳ４１１に戻り、アイピースシャッタ４１が閉じていると判定された場合には、次に、液晶モニタ２６が引き出されているか否かの判定を行なう（Ｓ４３１）。判定の結果、液晶モニタ２６が引き出されている場合には、ステップＳ４３７に進み、手振れ軽減Ｐ線図を選択する。アイピースシャッタ４１が閉じていると光学ファインダによって被写体像を観察することはできず、また液晶モニタ２６が引き出されていることから、液晶モニタ２６によってスルー画を観察している状況といえるからである。
【００８３】
液晶モニタ２６が引き出されていない場合には、次に、液晶モニタ２６の表示面が表か裏かの判定を行う（Ｓ４３３）。判定の結果、表示面が表を向いていた場合には、ステップＳ４３７に進み、手振れ軽減Ｐ線図を選択する。液晶モニタ２６はカメラ本体２０に格納されているが、表示面が表を向いており、かつアイピースシャッタ４１が閉じていることから、スルー画を観察している状況といえる。
【００８４】
ステップＳ４３３において、液晶モニタ２６の表示面が裏を向いていると判定された場合には、ステップＳ４３５に進み、通常Ｐ線図を選択する。スルー画モードが選択されているが、アイピースシャッタ４１は閉じ、液晶モニタ２６の表示面は隠れていることから、想定される撮影シーンを、背面からの明光を考慮したセルフタイマー撮影や、三脚に固定した撮影と判断し、特に手振れ軽減のための処理を施す必要がないからである。
【００８５】
このように、ステップＳ４０９〜Ｓ４３７においては、スルー画モードの設定状態、アイピースシャッタ４１の状態、アイセンサ３８の検出結果、液晶モニタ２６の引き出し状態、液晶モニタ２６の表示面の向きのスルー画表示の観察状況に基づいて、通常Ｐ線図または手振れ軽減Ｐ線図のいずれかを選択している。この選択条件を図１４に示す。ステップＳ４１９、Ｓ４２３、Ｓ４３５、Ｓ４３７においてＰ線図を選択すると、ステップＳ４４１に進み、露光量を演算して、撮影時の絞り値（ＡＶ値）およびシャッタ速度値（ＴＶ値）の設定を行なってから、元のフローに戻る。なお、図１３（Ｃ）に示すようにＩＳＯ感度を変更するようにしても勿論構わない。
【００８６】
このように、第２実施形態においては、アイピースシャッタ４１やアイセンサ３８の出力に加えて、液晶モニタ２６の引き出し状態や表示面の向きも考慮して、通常Ｐ線図または手振れ軽減用Ｐ線図を選択している。このため、撮影者がスルー画を観察しながら撮影を行っているか、ファインダを観察しながら撮影を行っているかを、より的確に判断し、適切なＰ線図を選択することができる。
【００８７】
なお、第２実施形態における通常Ｐ線図と手振れ軽減Ｐ線図は、図９に示した長焦点用と短焦点用線図に基づいて、汎用性のあるＰ線図を用いるが、第１実施形態と同様に、焦点距離に応じて切り換えるようにしても勿論構わない。
【００８８】
次に、アイピースシャッタ４１として代用できるアイキャップ４７について、図１５を用いて説明する。ファインダ３３の接眼部は、図１５（Ａ）に示すように、カメラ本体２０側には、アイキャップ４８と摺動自在に嵌合するキャップ受け部３３ａが設けられており、その左右の側部にはそれぞれ、図１５（Ｂ）に示すように電極３３ｂが配置されている。アイキャップ４８の中央部は孔４８ａとなっており、光学ファインダの接眼レンズ２０９、保護ガラス４２を通して被写体像を観察することができる。アイキャップ４８はプラスチック等の絶縁材料で構成されているので、アイキャップ４８をキャップ受け部３３ａに装着した際でも、２つの電極３３ｂ間は非導通のままである。
【００８９】
アイキャップ４７は、アイキャップ４８と同様に、キャップ受け部３３ａに摺動自在に嵌合し、その中央部は遮光部４７ａとなっている。このため、アイキャップ４７をキャップ受け部３３ａに装着すると、光学ファインダの接眼部は遮光され、アイピースシャッタ４１を閉じたと同じ状態になる。この状態では、接眼部から光がカメラ本体２０の内部の測光センサ２８１等に入射することがなく迷光のために誤測光の虞がなくなるが、撮影者は光学ファインダによって被写体像を観察できなくなる。
【００９０】
アイキャップ４７の背面側であって、キャップ受け部３３ｂの電極３３ｂと接触する位置を結ぶ線上に、金属板４７ｂが設けられている。このためアイキャップ４７をキャップ受け部３３ｂに装着すると、２つの電極３３ｂは、金属板４７ｂによって導通状態となり、アイキャップ４７が装着されたことを検知できる。
【００９１】
この変形例においても、遮光部４７ａを有するアイキャップ４７が、ファインダ３３の接眼部に装着されると、電極３３および金属板４７ｂによって検出され、スルー画モードが選択されている場合には、通常Ｐ線図から手振れ軽減Ｐ線図に切り換わり、手振れが軽減される露出制御がなされる。
【００９２】
以上、説明したように、本発明の各実施形態や変形例においては、スルー画モードの場合には、通常Ｐ線図から手振れ軽減Ｐ線図に切り換えて露出制御値を求めているので、像ブレの発生し難い撮影を可能とするデジタルカメラを提供することができる。また、手振れ軽減Ｐ線図では、シャッタ速度が通常Ｐ線図の場合に比較して高速シャッタとなるので、手振れの影響を小さくすることができる。
【００９３】
また、各実施形態や変形例においては、撮影者がスルー画表示を観察しているか否かについて、アイセンサ３８によって検出しているので、より的確に判定することができる。さらに、アイピースシャッタ４１によって、光学ファインダの光路を閉じているか否かに基づいて、スルー画表示を観察しているか否か検出しているので、より的確な判定をすることができる。さらに、遮光部４７ａを有するアイキャップ４７が装着されているか否かに基づいて、スルー画表示を観察しているか否かを検出しているので、より的確な判定をすることができる。さらに、液晶モニタ２６の表示面が表で出ているか隠されているか否かに基づいて、スルー画表示を観察しているか否かを検出しているので、より的確な判定をすることができる。
【００９４】
なお、本発明の各実施形態においては、撮像素子としてメインＣＣＤ２２１とファインダ内ＣＣＤ２７９の複数の撮像素子を備えていたが、どちら一方しか備えてなくても構わず、例えば、Ａモード表示のみでも良く、逆にＢモード表示のみの構成でも良い。また、手振れ軽減用のプログラム線図として、プログラムモードの場合について説明したが、これに限らず、絞り優先モード、ポートレートモード、スポーツモード、風景モード、夜景モード、マクロモードといった撮影モードの場合にも適用できることは勿論である。
【００９５】
本発明の実施形態の説明にあたっては、デジタル一眼レフカメラを例に挙げたが、これに限らず、撮像素子を有し、この撮像素子の出力に基づいてスルー画を表示することのできるデジタルカメラや携帯電話等の電子撮像装置であれば適用できることは勿論である。
【図面の簡単な説明】
【００９６】
【図１】本発明の第１実施形態に係わるデジタル一眼レフカメラの外観斜視図である。
【図２】本発明の第１実施形態に係わるデジタル一眼レフレックスカメラの光学的な概略構成を示すブロック図である。
【図３】本発明の第１実施形態に係るデジタル一眼レフカメラの全体構成を示すブロック図である。
【図４】本発明の第１実施形態におけるデジタル一眼レフカメラの表示モードおよびその動作モード・メニューの階層構造を示すブロック図である。
【図５】本発明の第１実施形態におけるＡモード表示のフローチャートである。
【図６】本発明の第１実施形態におけるＢモード表示のフローチャートである。
【図７】本発明の第１実施形態におけるスルー画条件の設定１とスルー画条件の設定２のフローチャートである。
【図８】本発明の第１実施形態における測光・露光量演算のフローチャートである。
【図９】本発明の第１実施形態における露出制御の線図であって、（Ａ）は第１実施形態での長焦点距離側におけるプログラム線図であり、（Ｂ）は第１実施形態での短焦点距離側におけるプログラム線図であり、（Ｃ）は変形例におけるプログラム線図である。
【図１０】本発明の第１実施形態の変形例における測光・露光量演算のフローチャートである。
【図１１】本発明の第２実施形態に係わるデジタル一眼レフカメラの外観斜視図である。
【図１２】本発明の第２実施形態に係るデジタル一眼レフカメラの全体構成を示すブロック図である。
【図１３】本発明の第２実施形態における測光・露光量演算のフローチャートである。
【図１４】本発明の第２実施形態におけるアイピースシャッタ、アイセンサ、液晶モニタの状態とプログラム線図の関係を示す図である。
【図１５】本発明の第２実施形態におけるアイキャップを示す図であり、（Ａ）は孔を備えるアイキャップとカメラ本体の接眼部を示す外観斜視図、（Ｂ）はＡ−Ａ断面図、（Ｃ）は遮光部のあるアイキャップの外観斜視図である。
【符号の説明】
【００９７】
１０・・・レンズ鏡筒、２０・・・カメラ本体、２１・・・レリーズ釦、２２・・・モードダイヤル、２３・・・パワースイッチレバー、２４・・・コントロールダイヤル、２６・・・液晶モニタ、２７・・・再生釦、２８・・・メニュー釦、３０・・・十字キー、３１・・・ＯＫ釦、３３・・・ファインダ、３３ａ・・・キャップ受け部、３３ｂ・・・電極、３４・・・スルー画表示切換釦、３４・・・表示切換釦、３６・・・プレビュー釦、３８・・・アイセンサ、３９・・・アイピースシャッタつまみ、４０・・・アイピースシャッタスイッチ、４１・・・アイピースシャッタ、４２・・・保護ガラス、４３・・・可動モニタ格納検出センサ、４４・・・可動モニタ裏表検出センサ、４５ａ・・・磁石、４５ｂ・・・磁石、４６・・・回動軸、４７・・・アイキャップ、４７ａ・・・遮光部、４７ｂ・・・金属板、４８・・・アイキャップ、４８ａ・・・孔、１０１・・・撮影レンズ、１０１ａ・・・撮影レンズ、１０１ｂ・・・撮影レンズ、１０３・・・絞り、１０７・・・レンズ駆動機構、１０９・・・絞り駆動機構、１１１・・・レンズＣＰＵ、２０１・・・第１反射ミラー、２０１ａ・・・回動軸、２０３・・・サブミラー、２０５・・・スクリーンマット、２０９・・・接眼レンズ、２１３・・・シャッタ、２１５・・・シャッタ駆動機構、２１７・・・測距回路、２１９・・・ミラー駆動機構、２２１・・・メインＣＣＤ、２２３・・・ＣＣＤ駆動回路、２２５・・・ＣＣＤインターフェース、２２７・・・画像処理回路、２２９・・・ボディＣＰＵ、２３１・・・圧縮回路、２３３・・・フラッシュメモリ制御回路、２３５・・・フラッシュメモリ、２３６・・・ＳＤＲＡＭ制御回路、２３７・・・ＳＤＲＡＭ、２３９・・・入出力回路、２４１・・・通信回路、２４３・・・記録媒体制御回路、２４５・・・記録媒体、２４７・・・ビデオ信号出力回路、２４９・・・液晶モニタ駆動回路、２５３・・・スイッチ検出回路、２５５・・・各種スイッチ、２６１・・・データバス、２６３・・・ＡＳＩＣ、２７１・・・第２反射ミラー、２７３・・・第３反射ミラー、２７５・・・第４反射ミラー、２７７・・・結像レンズ、２７９・・・ファインダ内ＣＣＤ、２８１・・・測光用センサ、２８３・・・ＣＣＤ駆動回路、２８５・・・ＣＣＤ切換回路
【図１】
2008193622.tif 000003
【図１１】
2008193622.tif 000004
【図１５】
2008193622.tif 000005
【図２】
2008193622.tif 000006
【図３】
2008193622.tif 000007
【図４】
2008193622.tif 000008
【図５】
2008193622.tif 000009
【図６】
2008193622.tif 000010
【図７】
2008193622.tif 000011
【図８】
2008193622.tif 000012
【図９】
2008193622.tif 000013
【図１０】
2008193622.tif 000014
【図１２】
2008193622.tif 000015
【図１３】
2008193622.tif 000016
【図１４】
2008193622.tif 000017